(57)【要約】      （修正有）【課題】ルーバー内に挿入しておく座板とこれに挿通しておく締付ボルトとこれに螺合する締付ナットとからなる取付金具を用いて、ルーバーを施工現場に立設せる取付材に組み付けていく際に生じていた厄介な問題を解消せしめるルーバー取付用金具を提供する。【解決手段】角板状の座板３０と、その座板３０に設けたボルト挿通口３１に嵌挿する頭部３２０付きの締付ボルト３２と、その締付ボルト３２の螺子部３２１に螺合する締付ナット３３と、からなるルーバー取付用の取付金具ｃにおいて、座板３０に形設するボルト挿通口３１を、そのボルト挿通口３１に嵌挿した締付ボルト３２の、座板３０に対する上下方向の傾斜回動を自在とする上下方向の長穴状に形成した。【選択図】図８
0003138914.tif 000002
【実用新案登録請求の範囲】
【請求項１】
角板状の座板（３０）と、その座板（３０）に設けたボルト挿通口（３１）に嵌挿する頭部（３２０）付きの締付ボルト（３２）と、その締付ボルト（３２）の螺子部（３２１）に螺合する締付ナット（３３）と、からなるルーバー取付用の取付金具（ｃ）において、座板（３０）に形設するボルト挿通口（３１）を、そのボルト挿通口（３１）に嵌挿した締付ボルト（３２）の、座板（３０）に対する上下方向の傾斜回動を自在とする上下方向の長穴状に形成したことを特徴とするルーバー取付用の取付金具。
【請求項２】
座板（３０）に形設する締付ボルト（３２）挿通用のボルト挿通口（３１）を、上下の巾寸法が、座板（３０）の前面側に寄る部位において小さく、座板（３０）の後面側に寄るに従い大きくなる縦断した側面視において横向きのコーン状をなす形状の長穴に形設しておくことを特徴とする請求項１記載のルーバー取付用の取付金具。
【請求項３】
締付ボルト（３２）の頭部（３２０）の、座板（３０）の前面側に対面にする後面側を、側面視において、円弧状に突出する突起部（Ｔ）に形成しておくことを特徴とする請求項１記載のルーバー取付用の取付金具。
【請求項４】
座板（３０）の前面側で、ボルト挿通口（３１）の周辺部位に、締付ボルト（３２）の上下の傾斜回動時における頭部（３２０）の後面側の回動軌跡に略沿う側面視で凹面状の凹溝（ｗ）を形設しておくことを特徴とする請求項１記載のルーバー取付用の取付金具。
【請求項５】
締付ボルト（３２）の頭部（３２０）の後面側に、座板（３０）の前面側でボルト挿通口（３１）の周辺部位に設ける側面視において凹面状の凹溝（ｗ）に対して嵌り合う側面視で凸面状の突起部（Ｔ）を形設しておくことを特徴とする請求項１記載のルーバー取付用の取付金具。
【考案の詳細な説明】
【技術分野】
【０００１】
本考案は、アルミ合金等の金属材で格子材状に形成した金属製ルーバーを、建物の外階段外周、外壁、屋上塔屋、空調設備周り等に予め施工しておく取付材に対し、格子状に組み付けるためのルーバー取付用の取付金具についての改良に関する。
【背景技術】
【０００２】
建物の、外階段外周、屋上塔屋、空調設備周り等に格子状に取り付ける金属製ルーバーは、アルミ合金等の金属材の押出成形により、例えば、図１に示しているように、一定の断面形状で長手方向に連続する長尺材のルーバーａに形成しておき、これを、予め建造物・施設の外面または回りに施工して取り付けておく取付材ｂに、図２に示しているよう、角板状の座板３０と、その座板３０に形設したボルト挿通口３１に嵌挿する締付ボルト３２と、その締付ボルト３２に螺合して締結する締付ナット３３からなる取付金具ｃにより組み付けることで、建造物または施設に対し取り付けるようにして使用される。
【０００３】
この金属製のルーバーａは、アルミ合金等の金属材の押出成形により、図１にあるように、一定の断面形状で長手方向に連続する中空の筒状に形成されるが、それの後面側には、図２にあるよう上下の中間部位に、長手方向に連続する開裂状の開放口１０が形設してあり、この開放口１０を利用して、前記取付金具ｃにより、取付材ｂに組み付けられる。
【０００４】
このルーバーａを組み付ける取付材ｂは、通常、Ｌ字形の断面形状で、長手方向に連続するアングル状に形成してあり、それの一方の辺縁が、ルーバーａの後端面に接合してルーバーａの取付板部２０となるように配位して、図２にあるように施工現場の所定位置に装設しておき、その取付材ｂの、前記ルーバーａを取り付けるべき所定位置に、前述の図１にあるように、取付金具ｃの締付ボルト３２を嵌挿するための、ボルト挿通穴２１を開設している。
【０００５】
この取付材ｂにルーバーａを組み付けるためのルーバー取付用の取付金具ｃは、通常、図３にあるように、ステンレス板などの金属板から形成される上下の高さ寸法Ｈが、ルーバーａの後端面に形設した開裂状の開放口１０の上下の開口巾Ｋより広い寸法で、左右方向の巾寸法Ｄが、ルーバーａの開放口１０を形設した後端側における内法寸法の上下高さｈに略対応する寸法となる後面視において左右に横長の略長方形乃至矩形をなす寸法形状に形成した座板３０と、それの中央部位に開設したボルト挿通口３１に挿通する頭部３２０付きの締付ボルト３２と、この締付ボルト３２の螺子部３２１に螺合する締付ナット３３とにより構成される。
【０００６】
この取付金具ｃを用いて行うルーバーａの取付材ｂへの組み付けは、取付金具ｃの角形の座板３０を、ルーバーａ内に挿入して、そのルーバーａの後壁１１の内面に接合するよう位置させ、この座板３０に予め挿通しておく頭部３２０付きの締付ボルト３２の螺子部３２１を、ルーバーａの後壁１１に形設してある開放口１０から後方に突出させ、この螺子部３２１を、取付材ｂの取付板部２０に形設しておくボルト挿通穴２１に通して、その取付板部２０の後面側に突き出し、この螺子部３２１に締付ナット３３を螺合して締め付けることで、図３にあるように、ルーバーａの、開放口１０の上下に位置する後壁１１・１１を座板３０と取付材ｂの取付板部２０とで挟持して固定装着せしめることで行なわれる。
【０００７】
この座板３０には、図５に示しているように、上下の高さ寸法Ｈを、ルーバーａ後端部の取付用の開放口１０の開口巾より狭くし、左右の巾寸法Ｄを、ルーバーａの後端部の内腔の上下高さに略対応する寸法とした細巾の帯板状に形成しておき、この細巾の帯状の座板３０を横長の姿勢として開放口１０からルーバーａ内に挿入し、挿入したところで、嵌挿しておいた締付ボルト３２による回動により開放口１０に対しクロスする縦長の姿勢に変換せしめて、締付ボルト３２による締結を行うようにする形態のものがある。この形態のものは、座板３０が細巾なことで締付の際に充分な強度が得られないことと、締め付けの際、または、締め付けにより組み付けたルーバーａが使用中に受ける風による振動により座板３０がルーバーａに対して回動したときに、開放口１０から飛び出すようになってルーバーａの組付を不確実なものとする問題を生ぜしめている。このことから座板３０は、通常、開放口１０の開口巾より上下に広巾の角板状に形成している。
【０００８】
この開放口１０の開口巾より上下に巾広の角板状に形成した取付金具ｃの座板３０のルーバーａ内への挿入は、この座板３０のボルト挿通口３１に対する締付ボルト３２の挿通が、座板３０だけをルーバーａの内腔に挿入した状態では、その座板３０の前面側から締付ボルト３２を挿通することが困難なことから、座板３０には、それのボルト挿通口３１に締付ボルト３２を挿通しておき、この状態の座板３０を、ルーバーａの長手方向の端部のこぐちから、座板３０と締付ボルト３２の頭部３２０とを嵌め込むようにして挿入することで行っている。
【０００９】
これは、締付ボルト３２を挿通した状態の座板３０のルーバーａ内への挿入を、図６にあるように、座板３０の姿勢を傾斜させることで、ルーバーａの後面側の開裂状の開放口１０から挿入していくと、座板３０に挿通した締付ボルト３２の螺子部３２１及び座板３０が開放口１０の上下の口縁に干渉してくることで、挿入できず、このため、締付ボルト３２を挿通した座板３０のルーバーａ内への挿入を、ルーバーａのこぐちから行うようにしていることによる。
【００１０】
ルーバーａは、通常、１．８〜２．７ｍ程度の長尺物に作られ、これを取付金具ｃにより組み付け固定するための取付材ｂは、５０〜６０ｃｍの間隔において、施工現場に多数本並列設置される。ルーバーａを取付材ｂに組み付けて、目隠しするよう囲う建物の、外階段外周、屋上塔屋、空調設備周り等の施工現場の横方向の長さは、通常、一本のルーバーａの長さより遙かに長く、ルーバーａは複数本継ぎ足して組み付けられる。
【００１１】
このことから、ルーバーａを並列する取付材ｂに対して座板３０と締付ボルト３２と締付ナット３３からなる取付金具ｃを用いて組み付けていくとき、ルーバーａの一方のこぐちから挿入した取付金具ｃは、先にこぐちに近い取付材ｂに対し組み付けると、次にこぐちから挿入する取付金具ｃを、次位の取付材ｂと対応する位置までスライドさせることができなくなるので、このルーバーａのこぐちからルーバーａ内に挿入する取付金具ｃの座板３０は、ルーバーａの取付金具ｃにより取付材ｂに組み付ける作業を行う前に、並列する取付材ｂのそれぞれと対応する位置の全てに、もれなく配位させておかなければならない。しかも、各取付材ｂを対応させてルーバーａ内に用意した取付金具ｃの締付ボルト３２を挿通した座板３０は、それがルーバーａ内を取付材ｂと対応する位置から動いていても、組み付けるべき取付材ｂと対応する位置に戻すよう動かし、組み付ける取付材ｂを正しく選択して組み付けなければならない。組み付けるべき取付材ｂを誤ったときは、それにより遊びの状態となった取付金具ｃの座板３０を、組み付けた取付金具ｃを飛び越して他の取付材ｂと対応する位置に動かすことができないことで、組み付けた取付金具ｃの組み付けを、ほどいて、やりなおさなければならないからである。このことから、この取付金具ｃを用いてのルーバーａの取付材ｂへの組み付けには、その作業を厄介なものとしている問題がある。
【考案の開示】
【考案が解決しようとする課題】
【００１２】
本考案において解決しようとする課題は、ルーバーａ内に挿入しておく座板３０とこれに挿通しておく締付ボルト３２とこれに螺合する締付ナット３３とからなる取付金具ｃを用いて、ルーバーａを施工現場に立設せる取付材ｂに組み付けていく際に生じていた厄介な問題を解消せしめる手段を提供することにある。
【課題を解決するための手段】
【００１３】
上述の課題を解決する本考案手段は、種々の試行錯誤を重ねて得られた知見に基づいて成されたものである。
【００１４】
取付金具ｃの座板３０は、締付ボルト３２により締め付けたときに、ルーバーａ後面の開放口１０から逸出しないようにするため、上下方向の高さ寸法を、ルーバーａの後壁１１に形設してある開放口１０の上下方向の開口巾の寸法よりも大きく形成しなければならないが、前後の厚さ寸法は、締付ボルト３２による締付の際に充分の強度のものであれば足り、前記開放口１０の上下の開口巾の寸法より小さい、通常の座板の厚さ寸法にしてよいものである。
【００１５】
このように形成した座板３０は、それに挿通した締付ボルト３２がルーバーａの後端部の開放口１０の上下の口縁に干渉して支えることさえなければ、斜めの姿勢として、ルーバーａ後端部の開放口１０から挿入し、開放口１０をくぐり抜けて、ルーバーａ内に挿入し終えたところで、座板３０の姿勢を立てた姿勢に戻すことで、この開放口１０からのルーバーａ内への挿入が可能である。
【００１６】
そして、座板３０を斜めの姿勢としたときに締付ボルト３２が開放口１０の口縁に支えるようになることについては、座板３０に挿通した締付ボルト３２を、座板３０に対し上下方向の傾斜回動が自在になるようにしておけば、座板３０を斜めの姿勢にして開放口１０からルーバーａ内に挿入していくときに、締付ボルト３２を座板３０の後面に沿う傾斜した姿勢となるように座板３０に対し回動させることで、この締結ボルト３２が開放口１０の口縁に支える干渉がなくなって、座板３０を開放口１０からルーバーａ内に挿入していけるようになるという知見が得られたこと、そして、このように締付ボルト３２を座板３０に対し回動自在とするには、締付ボルト３２と座板３０のボルト挿通口３１との嵌合部分をボールジョイント状に構成するなどの種々の手段はあるが、締付ボルト３２の座板３０に対する回動は、上下方向の回動だけでもよく、この回動が得られるようにするには、ボルト挿通口３１を、上下方向に長い長穴状に形成しておくことで足りるという知見が得たことによるものである。
【００１７】
このことから、本考案においては、上述の課題を解決するための手段として、角板状の座板３０と、その座板３０に設けたボルト挿通口３１に嵌挿する頭部３２０付きの締付ボルト３２と、その締付ボルト３２の螺子部３２１に螺合する締付ナット３３と、からなるルーバー取付用の取付金具ｃにおいて、座板３０に形設するボルト挿通口３１を、そのボルト挿通口３１に嵌挿した締付ボルト３２の、座板３０に対する上下方向の傾斜回動を許容する上下方向に長い長穴状に形設したルーバー取付用の取付金具を提起するものである。
また、これに併せて、座板３０に形設する締付ボルト３２挿通用のボルト挿通口３１を、座板３０の前面側に寄る部位の上下寸法が小さく座板３０の後面側に寄るに従い上下寸法が大きくなる縦断した側面図において、横向きのコーン状をなす上下方向の長穴に形設しておく、ルーバー取付用の取付金具を提起するものである。
さらに、締付ボルト３２を、それの頭部３２０の後面側を座板３０の前面側に当接させた状態での座板３０に対する傾斜回動を円滑にするため、締付ボルト３２の頭部３２０の、座板３０の前面に対面する内側を、側面視において、円弧状の突起部Ｔに形成しておく手段を提起し、
さらに、座板３０の前面側で、ボルト挿通口３１の入口部の周辺部位に、前述の締付ボルト３２の頭部３２０の内側に形設した円弧状の突起部Ｔと嵌り合う側面視において凹面状の凹溝ｗを形成しておく手段を提起し、
さらに、締付ボルト３２の頭部３２０の後面側に、座板３０の前面側でボルト挿通口３１の周辺部位に設ける側面視において凹面状の凹溝ｗに対して嵌り合う側面視で凸面状の突起部Ｔを形設しておく手段を提起するものである。
【考案の効果】
【００１８】
本考案手段によるルーバー取付用の取付金具は、座板３０のボルト挿通口３１に嵌挿した締付ボルト３２が、ボルト挿通口３１を上下方向に長い長穴状に形成したことで、座板３０に対し上下方向の傾斜回動を自在にしてあるのだから、座板３０を、それに締付ボルト３２を挿通した状態で、ルーバーａ内に挿入せしめるときに、締付ボルト３２を座板３０に対し傾斜回動させて、座板３０の後面に略沿う姿勢にし、その状態で、座板３０をルーバーａ後面の開放口１０に対し斜めに寝かせた姿勢として、開放口１０から挿入していくことで、ルーバーａ内に挿入し得るようになる。
【００１９】
これにより、取付金具ｃの座板３０は、締付ボルト３２を挿通した状態として、既に装入して組み付けた取付金具ｃの制約を受けることなく、ルーバーａの後面の開放口１０の長手方向における所望の場所から、随時ルーバーａ内に装入できることになるので、取付金具ｃによるルーバーａの取付作業に生じていた諸々の問題を解消し得るようになる。
【考案を実施するための最良の形態】
【００２０】
次に本考案の実施の形態を、実施例につき図面に従い詳述する。
【実施例１】
【００２１】
図７乃至図１９は、本考案によるルーバー取付用の取付金具の第１の実施例を示し、図７はその取付金具でルーバーを取付材に組み付けている使用状態の側面図、図８は同上状態の縦断側面図、図９は同上取付金具の座板の後面図、図１０は同上座板の前面図、図１１は同上座板の左側面図、図１２は同上座板の図１０におけるＸ−Ｘ線の縦断測面図、図１３は同上取付金具の締付ボルト及び締付ナットの側面図、図１４は同上締付ボルト及び締付ナットの前面図、図１５は同上締付ボルト及び締付ナットの平面図、図１６は締付ボルトを嵌挿した座板をルーバーの後端部に挿入した状態の後面図、同１７は同上の座板を締付ボルトの螺じ締め方向に回動させた状態の後面図、図１８は締付ボルトを座板に対し上方に回動させた状態の説明図、図１９は締付ボルトを座板に対し下方に回動させた状態の説明図で、これら図において、ａはルーバー、ｂは取付材、ｃは取付金具、３０はその取付金具ｃの座板、３１はその座板３０に設けたボルト挿通口、３２は締付ボルト、３３は締付ナットを示す。
【００２２】
ルーバーａは、アルミ合金等の金属材から押出し成形加工により形成した通常の金属製ルーバーであり、この実施例において示しているルーバーａは、通常の金属製ルーバーのうちの、ルーバー本体１を角筒状の角型に形成した形態のもので、前後巾が１２０ミリで上下の厚さが４０ミリのものとして通常、市販されているものであり、後面側に左右方向に連続する開裂状に開設された取り付け用の開放口１０が２０ミリの開口巾に形成してある形態のものである。
【００２３】
取付材ｂは、鋼板等の金属板から折曲加工により成形された通常のアングル鋼を用いたもので、これを所定の長さのものにして施工現場の所定の場所に立設したものである。
【００２４】
取付金具ｃは、座板３０と、それに開設せるボルト挿通口３１に嵌挿する頭部３２０付きの締付ボルト３２と、その締付ボルト３２に螺合して締結する締付ナット３３と、からなる通常のものであるが、この例における取付金具ｃは、前述した寸法・形状に作られた筒状・角型のルーバーａの取付用のものとして形成したものであり、後面視において、上下の巾寸法が、ルーバーａの後面の開放口１０の開口巾の２０ミリよりも巾広の２５ミリで、左右の横巾が、ルーバーａの後端部の内部の、底面から天井面までの高さ寸法に対応する３７ミリで、前後の厚さが前述の開放口１０の開口巾の２０ミリの２分の１より稍大きい１２．５ミリの角板状に形成してある。この座板３０の寸法は、後端面に形設せる開放口１０の開口巾が１２ミリに設定してある形態のルーバーの取り付けに用いる場合にあっては、上下の巾寸法は１６ミリとするよう変更される。
【００２５】
そして、この座板３０は、左右の両端部が、後面視において、底辺に対し略４５度に傾いて平行する切断線をもって、それぞれ斜めに切断されて左右に横長の菱形に形成してあり、左右の横巾寸法となる斜辺と斜辺との間の寸法が、ルーバーａの天井面と底面との間の内法寸法に対応する３７ミリとしてある。
【００２６】
この座板３０を菱形とする左右の斜辺をなす側縁の傾斜方向は、後面視において、図９にあるように、左右の斜辺がそれぞれ右方に傾斜するように設定してあり、これにより、座板３０をルーバーａ内に図１６にあるように挿入した状態において、この座板３０を、その座板３０に嵌挿した締付ボルト３２を螺じ締めの方向に回動させたときに、これに追従して回転する座板３０の左右の斜辺がルーバーａ内部の天井面と底面とに当接して、それ以後の座板３０の回動を阻止し、ルーバーａに対し一体的に結合した状態となるようにしている。
【００２７】
角板状の座板３０を、それの左右の側辺が傾斜する斜辺となる左右に横長の菱形に形成するのは、座板３０をそれに嵌挿した締付ボルト３２を、螺子の締め込み方向に回動させて座板３０を前記方向に回動させることで、対向間隔がルーバーａの後端部の内腔の天井面から底面までの高さ寸法に略対応させてある左右の側辺を、それぞれルーバーａ内の天井面と底面とに当接させ、これにより、座板３０をルーバーａ内に固定した状態とするときの、座板３０の回動角度量を少なくして、固定した状態が速やかに得られるようにすることと、座板３０を、それの左右の側辺がルーバーａ内の天井面と底面とにそれぞれ当接した固定状態とするよう回動させるときの座板３０の回動作動を円滑なものとするために、従来、図３・図５において示しているよう座板３０の側辺と上辺とのコーナー部分を、斜めに切断しておくか、弧状に面取りしておくことで生じていた、ルーバーａの後端部の後壁１１・１１の前面に当接する座板３０の接触部位の面積の削減が無いようにして締結・固着が強固に行われようにすることにある。この菱形に成形した座板３０のコーナー部分に、接触部位の面積に削減を生ぜしめない程度に面取り加工を行うことは差し支えない。
【００２８】
座板３０の左右の側辺を、ルーバーａ内の天井面と底面とに当接させるために行う座板３０の回動は、前述の図３・図５に示している従来例のように、側辺と上辺とのコーナー部分を、斜めに、または弧状に面取り加工した座板３０にあっても、左右の側辺が水平な方向に沿う姿勢とするまで、略９０度回動させなければならないが、上述の左右の側辺を傾斜する斜辺とした本考案手段の実施例の座板にあっては、斜辺にした側辺の傾斜角度の分だけ既に座板を回動させていることになり、９０度からこの斜辺とした側辺の傾斜角度を差し引いた残りの角度分だけ座板３０を回動させれば、側辺が天井面・底面に平行して当接し、ルーバーａに対し固定した状態となるので、座板の回動角度量を少なくし、座板３０をルーバーａ内に固定状態とするまでの回動操作を早くする。
【００２９】
座板３０は、左右の巾寸法を、ルーバーａの後端部の内腔の底面から天井面までの高さ寸法に略対応する寸法に形成しておいて、ルーバーａ内に挿入した状態で回動させることにより、左右の側辺を上辺及び底辺としてルーバーａ内腔の天井面と底面とに衝合する状態とし、この状態において、ルーバーａの後端部の上下の後壁１１・１１の前面に当接する部位を、締付面として機能させるものである。
【００３０】
従前の取付金具における座板は、図３にあるように、座板を９０度回転させるときの回転作動が、つかえを生ぜしめることなく行われるようにするのを、回転により、天井面・底面に対し、支えるようになる側辺の、中心線より回転方向前方の部分を、予め切除していることで、行うことから、締付面として機能する部分の面積を狭めているのに対し、この実施例の座板３０は、回転により上辺及び下辺となる左右の側辺を、回転方向に傾斜する斜辺に形成して、この斜辺が、それの傾斜角度を９０度から差引いた角度分だけ座板３０と共に回動したところで、水平な姿勢となってこの左右の側辺がそっくりそのままルーバーａの天井面および底面に衝合するようにしていることから、左右の側辺の一方において傾斜角度分だけ斜に切除した部分があっても、他方において傾斜角度分だけ付加されるようになって、このルーバーａの後端部の後壁１１・１１の前面側に当接する左右の側辺の接触部分の面積に、削減が無く、従って、締結・固着を強固なものとする。
【００３１】
ところで、この座板３０は上下の両端面が、それの前縁から後縁に至る間を図１０にあるように弧面に形成してあり、これにより、締付ボルト３２が嵌挿された状態の座板３０を、前後に寝かせた姿勢としてルーバーａ後面の開放口１０からルーバーａ内にくぐり込ませていくときに、座板３０の上下の端面が開放口１０の上下の口縁に当接して干渉するようになるのを避けるようにしている。さらに、この座板３０の上下の端面に形成する弧面は、前方に向かうに従い上下の弧面の間の距離を狭くする形状に形成してあって、これにより、座板３０をルーバーａの後面の開放口１０からルーバーａ内にくぐり込ませるときの操作・作業が、一層楽に行えるようにしている。
【００３２】
さらに、この実施例の座板３０の前面側には、それの上下の中間部位に、後面側に向け円弧状に刳り込む凹溝ｗが左右方向に連続するよう形設してある。この円弧状の凹溝ｗは、座板３０のボルト挿通口３１に嵌挿した締付ボルト３２を、それの頭部３２０の後面側が座板３０の前面側に当接した状態において、座板３０に対し上下方向に傾斜回動させるときの回動操作を円滑にするためのもので、座板３０の前面側の左右の中央部位の、締付ボルト３２の頭部３２０の後面側が当接するようになる部位にだけ形設してあればよいものであるが、この例においては、座板３０の上記部位に対するこの凹溝ｗの形設を容易にするため、座板３０の左右の一端から他端に渡る間に連続する凹溝ｗとして形設してある。このことから、この凹溝ｗの、締付ボルト３２の頭部３２０の後面側と対面する部位から左右に外れる部位は、格別の機能のない遊びの部位となる。
【００３３】
この座板３０に、締付ボルト３２の挿通口として形設するボルト挿通口３１は、その締付ボルト３２の外径に対応する巾で上下方向に長い長穴にするが、この例においては、図１２にあるように、座板３０の前面側に寄る部位においては、上下の長さ寸法が狭く、座板３０の後面側に寄るに従い、この上下の長さ寸法が大きくなる側面視においてコーン状の長穴に形成してあり、これにより、図１８、図１９に示しているように、締付ボルト３２の上方への傾斜回動及び下方への傾斜回動が、長穴状のボルト挿通口３１の内部に、遊びの空間を生ぜしめることなく行われるようにしている。
【００３４】
この座板３０のボルト挿通口３１に嵌挿する締付ボルト３２は、図１３乃至図１５に示しているように、頭部３２０の後面側を、前記座板３０の前面側に形設した弧状の凹溝ｗの底面に対応する凸の弧面の突起部Ｔに形成した左右に長いブロック状をなす形状に形成してあって、これにより全体としてＴ字状をなす形状としてある。
【実施例２】
【００３５】
図２０乃至図２５は、別の実施例を示している。この例は、ルーバー取付用の取付金具についての本考案手段を、座板を角型の板部材とした態様の取付金具に実施した例である。
【００３６】
この例のルーバー取付用の取付金具は、ステンレススチール等の金属材よりなる板材から角形に板どりして成形した座板３０と、その座板３０の中心部位に開設したボルト挿通口３１に嵌挿する頭部３２０付きの締付ボルト３２と、その締付ボルト３２の螺子部３２１に螺合して締結する締付ナット３３とにより構成すること、及び、角形の座板３０に形設するボルト挿通口３１を、それに挿通した締付ボルト３２が座板３０に対し上下に傾斜回動を自在とする上下方向の長穴状に構成することについては、前述の実施例のものと変わりない。
【００３７】
座板３０は、ステンレススチール等の金属板から、左右の側辺を斜辺とする菱形に板どりして成形した板状の座板で、それの斜辺とした左右の側辺の傾斜方向は、座板３０に嵌挿した締付ボルト３２の螺じ締めの方向に傾斜するよう設定してあり、その傾斜角度は略４５度としてある。
【００３８】
この菱形に成形した座板３０は、図２０にあるように上下寸法が４０ミリで開放口１０の開口巾が２０ミリ、内部の天井面から底面までが３７ミリに設定されたルーバーａの取付に用いるように形成したものであり、板厚が１０ミリで、上下の巾寸法がルーバーａの開放口１０の開口巾より広い２５ミリ、左右の巾寸法が、ルーバーａ内部の天井高さに略対応する３７ミリとした形状のものに形成してある。
【００３９】
この座板３０に開設する締付ボルト３２挿通用のボルト挿通口３１は、図２１に示しているように、座板３０の後面視において二組の対角を結ぶ二本の仮想対角線の交点位置に中心点をおく、締付ボルト３２の螺子部３２１の外径寸法に対応する巾の上下の長穴状に形成してある。そして、この長穴状のボルト挿通口３１は、図２０にあるように、座板３０の前面側に寄る部位においては、上下方向の口径が小さく、後面側に寄る部位に向け順次上下方向の口径を大きくする縦断した側面視において横向きのコーン状をなす形状に形成してある。
【００４０】
ボルト挿通口３１を上下方向に長い長穴状に形成するのは、このボルト挿通口３１に嵌挿した締付ボルト３２を、該締付ボルト３２の螺子部３２１を手で持って上下方向に動かし、座板３０の前面側に当接する頭部３２０の後面部を略回動中心として、上下に傾斜回動させて座板３０に対し寝かせた姿勢とするときの、締付ボルト３２の動きに、ボルト挿通口３１の内壁面との干渉による制約を生ぜしめないよう自由にするためのものであり、上下方向に長い長穴状に形成してあればよいものであるが、螺子部３２１を手で持って締付ボルト３２を傾斜回動させるときの該締付ボルト３２の動きは、頭部３２０側では小さく螺子部３２１側では大きくなることから、この例のように、長穴状とするボルト挿通口３１の形状を、座板３０の後面側に向け次第に拡径する横向きのコーン状に形成することは、座板としての強度を保持せしめながら締付ボルト３２の傾斜回動を許容するボルト挿通口３１を形設できるようになる。
【００４１】
またこの長穴状のボルト挿通口３１の中心点位置を、対角線の交点位置を占めるようにしているのは、座板３０をそれに締付ボルト３２を嵌挿してルーバーａ内に開放口１０から挿入した状態において、図２３において、２重線の矢印で示しているように、座板３０を、締付ボルト３２中心に螺子締めする方向である右回りに回動させたときに、前記交点中心に回動する該座板３０の左右の側辺と上下の辺縁とのコーナー部分が、該座板３０の上下巾の寸法とルーバーａの天井高さの寸法との差により生成される空間内を、干渉が無い自由な状態で余裕をもって回動していくようにするためである。
【００４２】
このボルト挿通口３１に嵌挿する締付ボルト３２は、それの頭部３２０をナット状又は円盤状とした通常の締付ボルトの形態のものである。この実施例の取付金具ｃにおける座板３０は、それの板厚が、ルーバーａ後端部の開放口１０の上下の開口巾の２０ミリより薄い１０ミリで、上下の辺縁間の巾寸法がルーバーａ後端部内腔の天井高さの３７ミリより狭い２５ミリであるから、座板３０のボルト挿通口３１に嵌挿した締付ボルト３２を、上下方向の長穴状に形成したボルト挿通口３１の形状を利用して、座板３０に対し上下方向に傾斜回動させ、座板３０に沿う姿勢とし、この状態の座板３０を斜めに寝かせて、開放口１０をくぐらせることにより、ルーバーａ後端部の開放口１０からルーバーａ内に挿入していけるようになる。そして、挿入し終えたところで、締付ボルト３２の姿勢を旧に戻し、これを螺子の締め込み方向に回動させれば、締付ボルト３２と共に回動する座板３０が略４５度の角度量を回動したところで傾斜する左右の側辺が、ルーバーａ内部の天井面及び底面にそれぞれ当接してルーバーａに対し固定状態となる。
【図面の簡単な説明】
【００４３】
【図１】ルーバー取付用の取付金具の、使用状態における前面側から見た斜視図である。
【図２】同上取付金具の同上状態における後面側から見た斜視図である。
【図３】同上取付金具の座板を、ルーバー内に挿入した状態における一部破断した後面図である。
【図４】同上取付金具によりルーバーを取付材に組み付けた状態の縦断側面図である。
【図５】同上取付金具の座板の上下巾をルーバー後端の開放口の開口巾より狭くした例の、ルーバー内に嵌挿した状態の一部破断した後面図である。
【図６】同上取付金具の座板を、締付ボルトを嵌挿した状態でルーバーの後端部の開放口からルーバー内に挿入することが困難であることの説明図である。
【図７】本考案手段を実施せるルーバー取付用の取付金具の、ルーバーを取付材に取付けた状態の側面図である。
【図８】同上取付金具の、同上状態時の縦断側面図である。
【図９】同上取付金具の座板の後面図である。
【図１０】同上取付金具の座板の前面図である。
【図１１】同上取付金具の座板の側面図である。
【図１２】同上取付金具の座板の縦断側面図である。
【図１３】同上取付金具の締付ボルトの側面図である。
【図１４】同上取付金具の同上締付ボルトの後面図である。
【図１５】同上取付金具の同上締付ボルトの平面図である。
【図１６】同上取付金具の座板を、それに締付ボルトを嵌挿してルーバー内に挿入した状態時の後面図である。
【図１７】同上取付金具の同上状態の座板を右回りに４５度回転させた状態の後面図である。
【図１８】同上取付金具の座板のボルト挿通口に嵌挿した締付ボルトを、座板に対し上方に傾斜回動させた状態時の説明図である。
【図１９】同上の締付ボルトを座板に対し下方に傾斜回動させた状態時の説明図である。
【図２０】別の実施例の取付金具の、取付材にルーバーを取付けた状態の縦断側面図である。
【図２１】同上取付金具の、座板の後面図である。
【図２２】同上の座板の前面図である。
【図２３】同上の座板の、ボルト挿通口に締付ボルトを嵌挿して、ルーバーの後端部内に挿入した状態の後面図である。
【図２４】同上の座板を、４５度右回りに回動させた状態の後面図である。
【図２５】同上の座板を、それに嵌挿した締付ボルトを寝かせた姿勢として、ルーバーの後面側の開放口から挿入する状態時の説明図である。
【符号の説明】
【００４４】
Ｄ    左右方向の巾寸法
Ｈ    上下の高さ寸法
Ｋ    上下の開口巾
Ｔ    突起部
ａ    ルーバー
ｂ    取付材
ｃ    取付金具
ｈ    内法寸法の上下高さ
ｗ    凹溝
ｙ    平面部
１０    開放口
１１    後壁
２０    取付板部
２１    ボルト挿通穴
３０    座板
３１    ボルト挿通口
３２    締付ボルト
３２０    頭部
３２１    螺子部
３２２    頸部
３３    締付ナット
【図１】
0003138914.tif 000003
【図２】
0003138914.tif 000004
【図３】
0003138914.tif 000005
【図４】
0003138914.tif 000006
【図５】
0003138914.tif 000007
【図６】
0003138914.tif 000008
【図７】
0003138914.tif 000009
【図８】
0003138914.tif 000010
【図９】
0003138914.tif 000011
【図１０】
0003138914.tif 000012
【図１１】
0003138914.tif 000013
【図１２】
0003138914.tif 000014
【図１３】
0003138914.tif 000015
【図１４】
0003138914.tif 000016
【図１５】
0003138914.tif 000017
【図１６】
0003138914.tif 000018
【図１７】
0003138914.tif 000019
【図１８】
0003138914.tif 000020
【図１９】
0003138914.tif 000021
【図２０】
0003138914.tif 000022
【図２１】
0003138914.tif 000023
【図２２】
0003138914.tif 000024
【図２３】
0003138914.tif 000025
【図２４】
0003138914.tif 000026
【図２５】
0003138914.tif 000027